(57)【特許請求の範囲】
【請求項１】
バッテリーからの電力によって動作するデジタルカメラであって、
バッテリー残量に関する情報を記憶する情報記憶手段及び情報通信用の端子を有する第１のバッテリーのバッテリーチェックを行うための第１のバッテリーチェック手段と、
情報記憶手段を有さない第２のバッテリーのバッテリーチェックを行うための第２のバッテリーチェック手段と、
上記第１のバッテリー及び第２のバッテリーのいずれが装填されているかを検出する検出手段と、
上記検出手段の検出結果より、上記第１のバッテリーが装填された場合は、上記情報通信用の端子を介してバッテリー残量に関する情報を取得し、バッテリー残量に応じた段階的な残量表示及びこのバッテリー残量に関する情報に基づいてバッテリー残量を数値として表示し、上記第２のバッテリーが装填された場合は、バッテリーチェックを行ってバッテリー残量に応じた段階的な残量表示を行う表示手段と、
を備えたことを特徴とするデジタルカメラ。
【請求項２】
上記表示手段は、上記第１のバッテリーが装填された場合に、バッテリー残量に応じた段階的な残量表示及びバッテリー残量の数値表示を行った後、バッテリー残量の数値表示を消し、バッテリー残量に応じた段階的な残量表示のみを行う
ことを特徴とする請求項１に記載のデジタルカメラ。
【発明の詳細な説明】
【０００１】
【発明の属する技術分野】
本発明は、バッテリーからの電力によって動作するデジタルカメラに関するものである。
【０００２】
【従来の技術】
最近、ＣＰＵやメモリを内蔵、すなわち情報処理機能や情報記憶機能を内部に有し、バッテリー残量等を算出することが可能なバッテリー（以下、インフォバッテリーと称する）が用いられ始めている。バッテリーの残量計算は、バッテリーの消費電力を逐次カウントすることによって行われる。このインフォバッテリーをデジタルカメラ（電子カメラ）に用いた場合、撮影可能時間等をきめ細かく把握することが可能となる。
【０００３】
しかしながら、通常インフォバッテリーは専用化されており、交換用に二つのインフォバッテリーを用意したり、専用のバッテリーチャージャーを用意したりする必要がある。そのため、経済性や可搬性等の観点からユーザーに大きな負担となる。
【０００４】
そこで、インフォバッテリーの他に、通常のバッテリー（アルカリ電池、Ｎｉ−ＭＨ電池、Ｎｉ−Ｃｄ電池等）にも対応可能であれば、上述したようなユーザーの負担を軽減することが可能である。
【０００５】
【発明が解決しようとする課題】
しかしながら、インフォバッテリーは内蔵したＣＰＵによってバッテリーの残量計算を行うことが可能であるのに対し、通常のバッテリーはそのような機能を備えていない。したがって、インフォバッテリー及び通常バッテリーの両者を単に使用可能としただけでは、バッテリー残量の把握を適切に行うことが困難であり、使い勝手に優れたデジタルカメラを構成することはできない。
【０００６】
本発明は、このような観点からなされたものであり、装填されるバッテリーに応じてバッテリー残量を適切に把握することが可能な使い勝手に優れたデジタルカメラを提供することを目的としている。
【０００７】
【課題を解決するための手段】
本発明に係るデジタルカメラは、バッテリーからの電力によって動作するデジタルカメラであって、バッテリー残量に関する情報を記憶する情報記憶手段及び情報通信用の端子を有する第１のバッテリーのバッテリーチェックを行うための第１のバッテリーチェック手段と、情報記憶手段を有さない第２のバッテリーのバッテリーチェックを行うための第２のバッテリーチェック手段と、上記第１のバッテリー及び第２のバッテリーのいずれが装填されているかを検出する検出手段と、上記検出手段の検出結果より、上記第１のバッテリーが装填された場合は、上記情報通信用の端子を介してバッテリー残量に関する情報を取得し、バッテリー残量に応じた段階的な残量表示及びこのバッテリー残量に関する情報に基づいてバッテリー残量を数値として表示し、上記第２のバッテリーが装填された場合は、バッテリーチェックを行ってバッテリー残量に応じた段階的な残量表示を行う表示手段と、を備えたことを特徴とする。
【００１０】
上記表示手段は、上記第１のバッテリーが装填された場合に、バッテリー残量に応じた段階的な残量表示及びバッテリー残量の数値表示を行った後、バッテリー残量の数値表示を消し、バッテリー残量に応じた段階的な残量表示のみを行うことが好ましい。
【００１１】
【発明の実施の形態】
以下、本発明の実施形態を図面を参照して説明する。
【００１２】
（構成）
図１は、本発明の実施形態に係るデジタルカメラの主要部の構成例を示したブロック図である。
【００１３】
本デジタルカメラは、デジタルカメラ本体１に電力を供給する電源として、バッテリー残量に関する情報を算出可能なインフォバッテリー２、或いはそのような機能を備えていない通常バッテリー３のいずれかを装填可能であり、装填されたバッテリーからの電力によってカメラ動作を行うようになっている。
【００１４】
デジタルカメラ本体１の撮像部の基本的な構成は通常のデジタルカメラと同様であり、撮影レンズ系１１、絞り１２、ＣＣＤ等の光電変換素子からなる撮像素子１３等から構成され、撮像素子１３によって光電変換された信号は、Ａ／Ｄ変換回路等からなるデジタルプロセス回路１４に入力し、デジタル変換等の処理が施された画像信号が得られるようになっている。撮影レンズ系１１はレンズ駆動部１５及びズーム駆動部１６によって駆動され、絞り１２は絞り制御部１７によって制御される。
【００１５】
システムコントローラ１８は、デジタルカメラの各部を制御する機能を有する他、インフォバッテリー２と通常バッテリー３のいずれが装填されているかを検出する機能、インフォバッテリー２又は通常バッテリー３に対するバッテリーチェックを選択する機能、バッテリーチェック結果の表示形態を選択する機能、インフォバッテリー２での演算処理によって得られたバッテリー残量に関する情報に基づいてバッテリーチェックを行う機能、バッテリーの実際の電圧検出結果に基づいてバッテリーチェックを行う機能、等の各種処理機能を有している。
【００１６】
表示手段としては、主として撮影画像を表示するための液晶モニタ１９と、バッテリー残量に関する表示等のカメラに関する各種情報を表示するコンパネＬＣＤ２０を備えている。コンパネ（コントロールパネル）ＬＣＤ２０には、バッテリー残量に関する表示を行う際に、装填されているバッテリーに応じて、インフォバッテリー２用或いは通常バッテリー３用のいずれかの表示が選択的に行われるようになっている。
【００１７】
装填されているバッテリーの電圧を検出する手段としては、Ａ／Ｄ変換器２１、電圧検出器２２及び２３を備えており、これらによって取得された電圧情報がシステムコントローラ１８に送られるようになっている。Ａ／Ｄ変換器２１は、装填されているバッテリーの電圧をＡ／Ｄ変換してデジタル情報として取得するためのもの、電圧検出器２２は、カメラ動作をロック状態（カメラ動作を禁止する状態）にするロック電圧を検出するためのもの、電圧検出器２３は、ロック電圧よりも若干高い所定電圧を検出するためのものである。
【００１８】
また、本デジタルカメラは、ストロボ部２４、オートフォーカス動作に用いる測距部２５、バッテリー電圧を検出する際にダミーの負荷として用いるダミーロード部２６を備えている。
【００１９】
バッテリーとの電気的な接続は、端子２７〜３０によって行われる。端子２７はグランド端子、端子２８は電圧検出用の端子であり、端子２９及び３０はインフォバッテリー２が接続された場合にバッテリー残量等に関する情報の送受信を行う通信用の端子である。
【００２０】
インフォバッテリー２は、すでに述べたように、ＣＰＵやメモリを内蔵して情報処理機能や情報記憶機能を備えた充電式のバッテリーであり、バッテリー本体４１、電流・電圧検出部４２、ＣＰＵ４３、ＥＥＰＲＯＭ４４を内蔵したバッテリーパックによって構成されている。また、デジタルカメラ本体１との電気的な接続は、グランド端子４５、電圧検出用の端子４６、通信用の端子４７及び４８によって行われる。
【００２１】
電流・電圧検出部４２は、消費された電力量を検出するものであり、その検出結果はＣＰＵ４３に送られる。ＣＰＵ４３は、電流・電圧検出部４２からの電力消費情報に基づいてバッテリー残量を算出し、その算出結果をＥＥＰＲＯＭ４４に書き込む機能を有している。また、ＣＰＵ４３は、通信用の端子４７及び４８を介してデジタルカメラ本体１との間で情報の送受を行う機能も有している。
【００２２】
通常バッテリーは、インフォバッテリー２のようにＣＰＵやメモリを内蔵していない通常のバッテリーであり、バッテリー本体５１、グランド端子５２及び電圧検出用の端子５３を備えている。
【００２３】
（表示形態）
図２は、コンパネＬＣＤ２０における表示パターンの一部を示したものである。実際にはコンパネＬＣＤ２０には他の表示パターン部分も設けられているが、図では、本発明に関連する表示部分として、コンパネＬＣＤ２０の右下の部分のみを示している。バッテリー残量に関する表示は、バッテリーマーク部２０ａ、数字パターン部２０ｂ及びパーセントマーク部２０ｃを用いて行われる。
【００２４】
図３は、デジタルカメラに通常バッテリーを装填した場合のコンパネＬＣＤ２０上の表示例を示したものである。
【００２５】
通常バッテリーを装填した場合には、バッテリーマーク部２０ａにバッテリー残量に応じて３段階の残量表示が行われ、数字パターン部２０ｂには撮影可能な残枚数（残コマ数）が表示される。なお、本デジタルカメラはＡＣアダプタを介してＡＣ電源を接続することも可能であるが、この場合にはバッテリー残量に関する表示は行われない。
【００２６】
バッテリー残量が十分にある場合には、図３（ａ）に示すような表示（ＯＫ表示）がコンパネＬＣＤ２０上に行われる。すなわち、パワーオンの後１０秒間、バッテリー残量が十分であることを示すために、バッテリーマーク部２０ａが全表示される。また、数字パターン部２０ｂには残コマ数が表示される。１０秒経過した後は、バッテリーマーク部２０ａの表示が消え、数字パターン部２０ｂには残コマ数がそのまま表示され続ける。
【００２７】
バッテリー残量が一定量以下になった場合には、図３（ｂ）に示すような表示（警告表示）がコンパネＬＣＤ２０上に行われる。すなわち、パワーオンの後、バッテリー残量が残り少ないことを警告するために、バッテリーマーク部２０ａの一部が欠けたパターンが点滅表示（例えば２Ｈｚで点滅する）される。数字パターン部２０ｂには残コマ数が表示される。これらの表示は、パワーオン後に一定時間経過した後も表示され続ける。
【００２８】
バッテリー残量がさらに低下して、カメラ動作ができないレベル以下、すなわちロック状態になった場合には、図３（ｃ）に示すような表示（ＮＧ表示）がコンパネＬＣＤ２０上に行われる。すなわち、パワーオンの後１０秒間、バッテリーマーク部２０ａの一部が欠けたパターンが表示されるとともに、数字パターン部２０ｂには残コマ数が表示される。１０秒経過した後は、バッテリーマーク部２０ａ以外の表示は全て消され、カメラはディープパワーオフ状態となる。
【００２９】
図４は、デジタルカメラにインフォバッテリーを装填した場合のコンパネＬＣＤ２０上の表示例を示したものである。
【００３０】
インフォバッテリーを装填した場合には、バッテリーマーク部２０ａには通常バッテリーを装填した場合と同様、バッテリー残量に応じて３段階の残量表示が行われるが、数字パターン部２０ｂにはバッテリー残量が一定期間パーセント表示（０〜１００％、本例では１％きざみとする）される。すなわち、インフォバッテリーを装填した場合には、通常バッテリーを装填した場合よりも、残量表示が多段階で行われることになる。
【００３１】
バッテリー残量が十分にある場合（本例では、バッテリー残量が３０％以上１００％以下の場合）には、図４（ａ）に示すような表示（ＯＫ表示）がコンパネＬＣＤ２０上に行われる。すなわち、バッテリー残量が十分であることを示すために、パワーオンの後３秒間は、バッテリーマーク部２０ａが全表示されるとともに、数字パターン部２０ｂにはバッテリー残量がパーセント表示される（図では、１００％、４０％、３０％の３通りについて示している）。３秒経過した後、バッテリーマーク部２０ａの表示はそのまま表示され続けるが、数字パターン部２０ｂのパーセント表示は消え、代わりに残コマ数が表示される。パワーオン後１０秒経過した後は、バッテリーマーク部２０ａの表示が消え、数字パターン部２０ｂには残コマ数がそのまま表示され続ける。
【００３２】
バッテリー残量が一定量以下になった場合（本例では、バッテリー残量が３０％よりも少なく、カメラ動作不能なレベルよりも多い場合）には、図４（ｂ）に示すような表示（警告表示）がコンパネＬＣＤ２０上に行われる。すなわち、バッテリー残量が残り少ないことを警告するために、パワーオンの後３秒間は、バッテリーマーク部２０ａの一部が欠けたパターンが点滅表示（例えば２Ｈｚで点滅する）されるとともに、数字パターン部２０ｂにはバッテリー残量がパーセント表示される（図では、２９％、１％の２通りについて示している）。３秒経過した後、バッテリーマーク部２０ａはそのまま点滅表示され続けるが、数字パターン部２０ｂのパーセント表示は消え、代わりに残コマ数が表示される。これらの表示は、その後も表示され続ける。
【００３３】
バッテリー残量がさらに低下して、カメラ動作ができないレベル以下、すなわちロック状態になった場合には、図４（ｃ）に示すような表示（ＮＧ表示）がコンパネＬＣＤ２０上に行われる。すなわち、パワーオンの後１０秒間、バッテリーマーク部２０ａの一部が欠けたパターンが表示されるとともに、数字パターン部２０ｂの表示は０％となる。１０秒経過した後は、バッテリーマーク部２０ａ以外の表示は全て消され、カメラはディープパワーオフ状態となる。
【００３４】
（動作）
以下、本実施形態の動作について、図５〜図９に示したフローチャートを参照して説明する。
【００３５】
図５は、パワーオンの後、デジタルカメラにインフォバッテリーと通常バッテリーのいずれが装填されているかを判断するための処理を示したフローチャートである。すなわち、電源スイッチをオンさせた場合やバッテリーが装填されている状態でＡＣ電源を外した場合等、パワーオンリセットが行われた後の処理を示したフローチャートである。
【００３６】
この処理では、通信処理を行った結果、一定時間経過するまでに受信が完了したか否かを判断し（Ｓ１１、Ｓ１２、Ｓ１３）、受信が完了した場合にはインフォバッテリーフラグをオンさせ（Ｓ１４）、受信が完了しない場合にはインフォバッテリーフラグをオフさせる（Ｓ１５）。
【００３７】
すなわち、デジタルカメラにインフォバッテリーが装填されている場合には、それぞれの通信用の端子２９及び３０と端子４７及び４８とが接続されて通信が可能となり、それによってインフォバッテリーが装填されているとの判断がなされる。一方、デジタルカメラに通常バッテリーが装填されている場合には、通信を行うことができないので、インフォバッテリーではなく通常バッテリーが装填されているとの判断がなされる。
【００３８】
図６は、インフォバッテリーフラグのオン／オフに応じて、インフォバッテリー用のバッテリーチェック或いは通常バッテリー用のバッテリーチェックのいずれかを選択する処理を示したフローチャートである。
【００３９】
すなわち、インフォバッテリーフラグのオン／オフを判断し（Ｓ２１）、インフォバッテリーフラグがオンの場合には、インフォバッテリー用のバッテリーチェックが行われ、コンパネＬＣＤ２０上にはインフォバッテリー用の残量表示がなされ（Ｓ２２）、インフォバッテリーフラグがオフの場合には、通常バッテリー用のバッテリーチェックが行われ、コンパネＬＣＤ２０上には通常バッテリー用の残量表示がなされる（Ｓ２３）。
【００４０】
このように、デジタルカメラにインフォバッテリーが装填されている場合には、インフォバッテリー用のバッテリーチェック及びインフォバッテリー用の残量表示を行い、通常バッテリーが装填されている場合には、通常バッテリー用のバッテリーチェック及び通常バッテリー用の残量表示を行うことにより、装填されたバッテリーに応じてバッテリー残量を適切に把握することができ、デジタルカメラの使い勝手を向上させることができる。
【００４１】
図７は、図６に示した処理によって通常バッテリー用のバッテリーチェックが選択された場合の動作例を示したフローチャートである。
【００４２】
まず、Ａ／Ｄ変換器２１、電圧検出器２２等により、バッテリー電圧の検出を行う。具体的には、カメラが負荷状態になっているとき、すなわちデジタルプロセス回路１４、レンズ駆動部１５、液晶モニタ１９或いはダミーロード部２６等の負荷がオン状態（動作状態）になっているときのバッテリー電圧を検出する（Ｓ３１）。
【００４３】
電圧検出器２２によってバッテリー電圧がロック電圧以下であることが検出された場合には、カメラがロック状態になるとともに、コンパネＬＣＤ２０上にロック電圧である旨の表示、例えば図３（ｃ）に対応するようなＮＧ表示が行われる（Ｓ３２、Ｓ３３）。
【００４４】
Ａ／Ｄ変換器２１からの電圧情報に基づき、バッテリー電圧が警告電圧範囲であると判断された場合には（Ｓ３４）、コンパネＬＣＤ２０上に警告電圧範囲である旨の表示、例えば図３（ｂ）に対応するような警告表示が行われる（Ｓ３４、Ｓ３５）。
【００４５】
Ａ／Ｄ変換器２１からの電圧情報に基づき、バッテリー電圧が警告電圧以上であると判断された場合には、コンパネＬＣＤ２０上にバッテリー残量が十分である旨の表示、例えば図３（ａ）に対応するようなＯＫ表示が行われる（Ｓ３６）。
【００４６】
図８は、図６に示した処理によってインフォバッテリー用のバッテリーチェックが選択された場合の第１の動作例を示したフローチャートである。
【００４７】
デジタルカメラ本体１にインフォバッテリー２が装填されている場合には、それぞれの通信用の端子２９及び３０と端子４７及び４８とが接続され、通信によって情報の送受が行われる。
【００４８】
まず、装填されているインフォバッテリーの種類を判別するために、デジタルカメラ本体１からインフォバッテリー２に対して送信要求がなされ、それに対する回答をインフォバッテリー２から受信する（Ｓ４１、Ｓ４２）。続いて、デジタルカメラ本体１からインフォバッテリー２に対して、ロック電圧に関する情報を送信する（Ｓ４３）。
【００４９】
インフォバッテリーのバッテリー残量を把握するために、デジタルカメラ本体１からインフォバッテリー２に対して送信要求がなされ、それに対する回答をインフォバッテリー２から受信する（Ｓ４４、Ｓ４５）。すなわち、インフォバッテリー２では、消費された電力量を電流・電圧検出部４２によって検出し、その検出結果に基づいてＣＰＵ４３でバッテリー残量を算出し、その算出結果を逐次ＥＥＰＲＯＭ４４に書き込んでいることから、通信によってデジタルカメラ本体１はバッテリー残量に関する情報を取得することができる。
【００５０】
バッテリー残量をパーセント表示する場合、ロック電圧以下になるとカメラ動作が停止することから、バッテリー自体の残量がゼロとなった状態を基準（０％）とするよりも、ロック電圧時を基準（０％）とした方が、ユーザーにとってはわかりやすいと考えられる。このような観点から、バッテリー残量は以下のようにして算出される。
【００５１】
バッテリー自体の残量がゼロとなった状態を基準とした残電力量を総残電力量と呼ぶことにし、その時点におけるバッテリーの総残電力量をＰａ、バッテリーのフル充電時における総残電力量をＰfull、ロック電圧時におけるバッテリー総残電力量をＰlockとする。この場合、ロック電圧時を基準とした（すなわち、実際に使用可能な）その時点におけるバッテリーの残電力量Ｐ１は（Ｐａ−Ｐlock）となり、ロック電圧時を基準としたフル充電時におけるバッテリーの残電力量Ｐ２は（Ｐfull−Ｐlock）となる。したがって、ロック電圧時を基準とした実際に使用可能な残量をパーセントで表すと、（Ｐ１／Ｐ２）×１００（％）となる。
【００５２】
インフォバッテリー２では、上述した（Ｐ１／Ｐ２）を算出し、その算出結果をデジタルカメラ本体１に送信することになる。なお、残電力量はバッテリーの周囲温度によって変動するため、温度条件を加味して残量の算出を行うようにしてもよい。また、インフォバッテリー２側ではなく、デジタルカメラ本体１側で残量の算出を行うようにしてもよい。
【００５３】
デジタルカメラ本体１では、Ａ／Ｄ変換器２１及び電圧検出器２２によってバッテリー電圧の検出を行い（Ｓ４６）、検出された電圧が警告電圧範囲（残電力量のパーセント表記に換算して３０％未満の範囲）であるか否かを判断する（Ｓ４７）。警告電圧範囲である場合には、インフォバッテリー２で算出された値（演算値）が３０％未満であるか否かが判断される（Ｓ４８）。
【００５４】
Ｓ４７のステップにおいて検出された電圧が警告電圧範囲でないと判断された場合、或いはＳ４８のステップにおいてインフォバッテリー２で算出された演算値が３０％未満であると判断された場合には、演算値がそのままコンパネＬＣＤ２０上にパーセント表示される（Ｓ４９）。
【００５５】
Ｓ４８のステップにおいてインフォバッテリー２で算出された演算値が３０％未満でない、すなわち３０％以上であると判断された場合には、コンパネＬＣＤ２０上には演算値ではなく「２９％」を表示する（Ｓ５０）。すなわち、検出された電圧が警告電圧範囲すなわち３０％未満である場合には、例えば図４に示したコンパネＬＣＤ２０上のバッテリーマーク部２０ａが警告表示状態となるが、その場合にコンパネＬＣＤ２０上の数字パターン部２０ｂに３０％以上のパーセント表示がなされていると、両者間で表示上のミスマッチが生じてしまい、ユーザーが混乱を招くこととなる。このような事態を防止するため、コンパネＬＣＤ２０上には演算値ではなく「２９％」を表示し、ミスマッチが生じないようにしている。
【００５６】
さらに、Ｓ４８のステップにおいてインフォバッテリー２で算出された演算値が３０％未満でないと判断された場合には、デジタルカメラ本体１からインフォバッテリー２に対して演算値修正の要求がなされる（Ｓ５１）。すなわち、検出値に対して演算値に誤差があることから、以後は演算値に係数を乗じて修正した値をデジタルカメラ本体１に送信させるようにする。例えば、検出値が２５％で演算値が３５％であるとすると、以後インフォバッテリー２からは、演算値×（２５／３５）を修正値としてデジタルカメラ本体１に送信する。なお、再充電がなされた場合には係数はリセットされる。
【００５７】
さらに、デジタルカメラ本体１では、電圧検出器２２によって検出されたバッテリー電圧がロック電圧以下であるか否かを判断し（Ｓ５２）、ロック電圧以下である場合には、コンパネＬＣＤ２０上に「０％」を表示する（Ｓ５３）。これも先に述べた警告表示の場合と同様、検出された電圧がロック電圧以下であるにもかかわらず演算値が０％よりも大きい（例えば１０％）と、両者間で表示上のミスマッチが生じてしまい、ユーザーが混乱を招くことになるためである。なお、電圧検出器２２によって検出する代わりに、電圧検出器２３によってロック電圧よりも若干高い電圧を検出し、そのような電圧が検出されたときに同様の処理を行うようにしてもよい。
【００５８】
図９は、図６に示した処理によってインフォバッテリー用のバッテリーチェックが選択された場合の第２の動作例を示したフローチャートである。
【００５９】
Ｓ６１〜Ｓ６６のステップについては、図８に示した第１の動作例におけるＳ４１〜Ｓ４６のステップと同様であるため、説明は省略する。
【００６０】
本動作例では、Ｓ６６のステップの後、演算によって得られたバッテリー残量に基づき、それに対応するバッテリー電圧を演算する（Ｓ６７）。その結果、演算値がＳ６６のステップで得られた検出値よりも小さい場合には、その演算値に対応するバッテリー残量値がコンパネＬＣＤ２０上にパーセント表示される（Ｓ６９）。演算値がＳ６６のステップで得られた検出値以上の場合には、演算値の代わりに、検出値に対応するバッテリー残量値がコンパネＬＣＤ２０上にパーセント表示される（Ｓ７０）。
【００６１】
以後のＳ７１〜Ｓ７３の基本的な動作については、第１の動作例におけるＳ５１〜Ｓ５３のステップと同様であるため、説明は省略する。
【００６２】
以上のように、図８及び図９に示した動作例によれば、演算値（バッテリー電圧或いはバッテリー残量に対応する演算値）が検出値（バッテリー電圧或いはバッテリー残量に対応する検出値）と異なり、それによって表示上の矛盾が生じてしまうような場合には表示を修正するようにしたので、使用者の無用な混乱を防止することができ、使い勝手を向上させることができる。
【００６３】
以上、本発明の実施形態を説明したが、本発明は上記実施形態に限定されるものではなく、その趣旨を逸脱しない範囲内において種々変形して実施することが可能である。さらに、上記実施形態には種々の段階の発明が含まれており、開示された構成要件を適宜組み合わせることによって種々の発明が抽出され得る。例えば、開示された構成要件からいくつかの構成要件が削除されても、所定の効果が得られるものであれば発明として抽出され得る。
【００６４】
【発明の効果】
本発明によれば、装填されるバッテリーに応じてバッテリーチェックや残量表示を切り替えるようにしたので、装填されたバッテリーに応じてバッテリー残量を適切に把握することができ、デジタルカメラの使い勝手を向上させることが可能となる。
【図面の簡単な説明】
【図１】本発明の実施形態に係るデジタルカメラについて、その主要部の構成例を示したブロック図。
【図２】本発明の実施形態に係るデジタルカメラについて、コンパネＬＣＤの表示パターンの一部を示した図。
【図３】本発明の実施形態に係るデジタルカメラについて、コンパネＬＣＤ上における表示形態の一例を示した図。
【図４】本発明の実施形態に係るデジタルカメラについて、コンパネＬＣＤ上における表示形態の他の例を示した図。
【図５】本発明の実施形態に係るデジタルカメラについて、その動作例を示したフローチャート。
【図６】本発明の実施形態に係るデジタルカメラについて、その動作例を示したフローチャート。
【図７】本発明の実施形態に係るデジタルカメラについて、その動作例を示したフローチャート。
【図８】本発明の実施形態に係るデジタルカメラについて、その動作例を示したフローチャート。
【図９】本発明の実施形態に係るデジタルカメラについて、その動作例を示したフローチャート。
【符号の説明】
１…デジタルカメラ本体
２…インフォバッテリー
３…通常バッテリー
１１…撮影レンズ系
１２…絞り
１３…撮像素子
１４…デジタルプロセス回路
１５…レンズ駆動部
１６…ズーム駆動部
１７…絞り制御部
１８…システムコントローラ
１９…液晶モニタ
２０…コンパネＬＣＤ
２１…Ａ／Ｄ変換器
２２、２３…電圧検出器
２４…ストロボ部
２５…測距部
２６…ダミーロード部
２７、２８、２９、３０…端子
４１…バッテリー本体
４２…電流・電圧検出部
４３…ＣＰＵ
４４…ＥＥＰＲＯＭ
４５、４６、４７、４８…端子
５１…バッテリー本体
５２、５３…端子
【図１】
0004493196.tif 000002
【図２】
0004493196.tif 000003
【図３】
0004493196.tif 000004
【図４】
0004493196.tif 000005
【図５】
0004493196.tif 000006
【図６】
0004493196.tif 000007
【図７】
0004493196.tif 000008
【図８】
0004493196.tif 000009
【図９】
0004493196.tif 000010